(57)【要約】【課題】  ホッパー内の粉茶等を攪拌等したり、或いはスクリューのピッチを供給側と排出側で変え送り出し量を均等化させることにより、送り出し量を安定させ、且つスクリューの目詰まりを防止することができる飲料用粉茶等排出器を提供すること。【解決手段】  本体ケースと、粉茶等を入れるためのホッパーと、該ホッパーの下方に設けられ粉茶等を送り出すためのスクリューと、該スクリューを回動する駆動手段と、前記スクリューにより送り出された粉茶等を排出する給茶口とを有する飲料用粉茶等排出器において、前記スクリューによる粉茶等の送り出し量を略均等化させる均等化手段を設ける飲料用粉茶等排出器。【選択図】        図２
2005245588.tif 000002
【特許請求の範囲】
【請求項１】
本体ケースと、粉茶等を入れるためのホッパーと、該ホッパーの下方に設けられ粉茶等を送り出すためのスクリューと、該スクリューを回動する駆動手段と、前記スクリューにより送り出された粉茶等を排出する給茶口とを有する飲料用粉茶等排出器において、前記スクリューによる粉茶等の送り出し量を均等化させる均等化手段を設けることを特徴とする飲料用粉茶等排出器。
【請求項２】
前記均等化手段は、前記ホッパー内に設けるフックまたはフラップであり、該フックまたはフラップの先端を前記スクリューの羽根間に当接させることを特徴とする請求項１記載の飲料用粉茶等排出器。
【請求項３】
前記均等化手段は、前記スクリューの羽根間に設ける凸部であることを特徴とする請求項１記載の飲料用粉茶等排出器。
【請求項４】
前記均等化手段は、前記スクリューの羽根のピッチを粉茶等の供給側より排出側の方を大きくすることを特徴とする請求項１ないし３記載の飲料用粉茶等排出器。
【請求項５】
前記均等化手段は、前記スクリュー収納部先端の開口部に設けた蓋部材に、開口部内側に向けて設けた突起部であることを特徴とする請求項１ないし４記載の飲料用粉茶等排出器。
【発明の詳細な説明】
【技術分野】
【０００１】
本願発明は飲料用粉茶等排出器に関し、特にスクリューによる粉茶等の送り出し量を均等化させる飲料用粉茶等排出器に関するものである。
【背景技術】
【０００２】
近時、粉茶、コーヒー或いはココア等を所定の量だけコップ内に排出する飲料用粉茶等排出器が業務用は勿論のこと、一般家庭でも利用されるようになっている。
【０００３】
図１６にそのような飲料用粉茶等排出器の一例を示す。この飲料用粉茶等排出器ａは、ホッパーｂ、粉茶等の供給用スクリューｃ、該スクリューｃを減速ギヤｅを介して回動するためのモータｄ、前記スクリューｃの左側端部に開閉自在に設けられ、粉茶等の供給時に開放され粉茶等を給茶口ｇに送るための蓋部材ｆとを備える。
【０００４】
そして、予め粉茶等をホッパーｂ内に入れ所定のスイッチを押すと蓋部材ｆが開放されるとともに、モータｄが回動され、その回動は減速ギヤｅを介してスクリューｃに伝達され、ホッパーｂ内に入れられた粉茶等は、蓋部材ｆ側に送り出され給茶口ｇから図示しないコップ等に排出される。このように飲料用粉茶等排出器ａは、簡単にお茶等を作ることができる利便性に優れたものである（特許文献１参照。）。
【０００５】
ところで、上記従来の飲料用粉茶等排出器ａは、スクリューｃの羽根間に供給された粉茶等をスクリューｃを回動させることにより前方の排出側に送り出し、送り出され空になった羽根間に新たにホッパーｂ内から粉茶等を供給し、その動作が連続されることにより粉茶等が給茶口ｇに連続して排出させるものであり、そして新たな粉茶等は、ホッパーｂの内壁に沿って自重で落下し、スクリューｃの羽根間に連続して供給される。
【０００６】
ところが、上記従来の飲料用粉茶等排出器ａは、スクリューｃの羽根間に供給されるホッパーｂ内の粉茶等は、粉茶等の粘り及び湿気等によりその中央部では早く、その外周部では遅く供給され、結果的に図で示す粉茶等の表面ｈのように中央部が低いアリ地獄のような放物線形状を呈する。すると、その供給量が多くなったり少なくなったりと変化し、安定した供給が得られなく、例えば、放物線形状が崩れた場合には一度に多くの粉茶等がスクリューｃの羽根間に供給されるため、目詰まりを引き起こす恐れがあった。
【０００７】
また、上記従来の飲料用粉茶等排出器ａは、スクリューｃの羽根のピッチが同じであったため、排出側に行くに従って粉茶等は徐々に圧縮され、粉茶等の粘り及び湿気或いはスクリューｃの長さ等によってはやはり目詰まりを引き起こす恐れがあった。
【特許文献１】特開平９−１８７２２３号公報
【発明の開示】
【発明が解決しようとする課題】
【０００８】
本願発明の目的は、飲料用粉茶等排出器の前記した問題を解決するもので、詳細には、ホッパー内の粉茶等を攪拌等したり、或いはスクリューのピッチを供給側と排出側で変え送り出し量を均等化することにより、送り出し量を安定させ、且つスクリューの目詰まりを防止することができる飲料用粉茶等排出器を提供することである。
【課題を解決するための手段】
【０００９】
上記目的を達成するため、本願発明は以下の構成を採用する。
【００１０】
請求項１に係る発明では、本体ケースと、粉茶等を入れるためのホッパーと、該ホッパーの下方に設けられ粉茶等を送り出すためのスクリューと、該スクリューを回動する駆動手段と、前記スクリューにより送り出された粉茶等を排出する給茶口とを有する飲料用粉茶等排出器において、前記スクリューによる粉茶等の送り出し量を均等化させる均等化手段を設ける構成。
【００１１】
そしてこのような構成により、スクリューから送り出される粉茶等の量が安定し、且つスクリューの目詰まりがなくなる。
【００１２】
請求項２に係る発明では、前記均等化手段は、前記ホッパー内に設けるフックまたはフラップであり、該フックまたはフラップの先端を前記スクリューの羽根間に当接させる構成。そしてこのような構成により、均等化手段を簡単な構造のものとして作成でき、且つその駆動手段も不要となる。
【００１３】
請求項３に係る発明では、前記均等化手段は、前記スクリューの羽根間に設ける凸部である構成。そしてこのような構成により、請求項２に係る発明と同様に、均等化手段を簡単な構造のものとして作成でき、且つその駆動手段も不要となる。
【００１４】
請求項４に係る発明では、前記均等化手段は、前記スクリューの羽根のピッチを粉茶等の供給側より排出側の方を大きくする構成。そしてこのような構成により、スクリューにより粉茶等が圧縮されることがなくなるため、排出量が安定し、且つ目詰まりがなくなる。
【００１５】
請求項５に係る発明では、前記均等化手段は、前記スクリュー収納部先端の開口部に設けた蓋部材に、開口部内側に向けて設けた突起部である構成。そしてこのような構成により、蓋部材の開蓋時、圧縮された粉茶等が崩れ落ち供給量が不安定になることはない。
【発明の効果】
【００１６】
請求項１に係る発明では、スクリューによる粉茶等の送り出し量を均等化させる均等化手段を設けることにより、粉茶等の固まりをなくすことができ、ホッパーよりスクリュー収納部に供給される粉茶等の量を均等化させることができる。その結果、粉茶等を安定して供給することができるとともに、スクリュー収納部内での粉茶等の目詰まりを防止することができ、飲料用粉茶等排出器の信頼性及び利便性を向上させることができる。
【００１７】
請求項２に係る発明では、均等化手段をホッパー内に設けるフックまたはフラップとし、該フックまたはフラップの先端をスクリューの羽根間に当接させることにより、請求項１に係る発明の効果に加え、均等化手段を簡単な構造のものとして作成でき、且つその駆動手段も不要となるため、生産コストを低減することができる。
【００１８】
請求項３に係る発明では、スクリューの羽根間に設ける凸部を均等化手段とすることにより、請求項２に係る発明の効果と同様に、均等化手段を簡単な構造のものとして作成でき、且つその駆動手段も不要となるため、生産コストを低減することができる。
【００１９】
請求項４に係る発明では、スクリューの羽根のピッチを粉茶等の供給側より排出側の方を大きくすることにより、請求項１ないし３に係る発明の効果に加え、スクリューによる粉茶等の圧縮をなくすことができるため、粉茶等をより安定して供給できるとともに、スクリューの目詰まりをよりなくすことができる。
【００２０】
請求項５に係る発明では、スクリュー収納部先端の開口部に設けた蓋部材を、開口部内側に向けた突起部とすることにより、請求項１ないし４に係る発明の効果に加え、蓋部材の開蓋時、圧縮された粉茶等が崩れ落ち供給量が不安定になることをより確実に防止することができる。
【実施例１】
【００２１】
図１に飲料用粉茶等排出器の正面図を、図２に図１のＡ−Ａ線断面図を、図３に斜め上方から見た本体ケースの斜視図を、図４に斜め下方から見た下口部材の斜視図を、図５に斜め上方から見たホッパーユニットの斜視図をそれぞれ示す。なお、本願の飲料用粉茶等排出器は、それ単体のものでもよいが、以下においては電気ポットと一体に形成したものを示す。また、その方向を、図１で見てその左右方向側をそれぞれ左方向及び右方向と呼び、図１の紙面の前方側を前方と呼びその反対の後方側を後方と呼ぶ。
【００２２】
本機器は、図１で示すように飲料用粉茶等排出器１と電気ポット２とを一体に形成したもので、Ｘの領域は飲料用粉茶等排出器１を示し、Ｙの領域は電気ポット２を示す。そして、飲料用粉茶等排出器１及び電気ポット２とも大きく分けて本体ケース３と下口部材４とからなるとともに、両部材３、４もそれぞれ一体に形成される。
【００２３】
前記本体ケース３は、図３に示すように、上方が開口した樹脂製の部材であり、電気ポット領域Ｙには、図示しない真空二重構造等からなる内容器並びにヒータ等が挿入配置されるとともに、その前方側には窪み５及び水量視認用窓６が形成され、その上方には給湯口８が取り付けられる前方突出部７が形成される。
【００２４】
本体ケース３の前記排出器領域Ｘには、後記のホッパーユニット３０が挿入配置されるとともに、その前方側下方は大きく窪んだコップ載置用空間９が形成され、そのコップ載置用空間９の上方には広口の給茶口取付開口３ａが設けられる。該広口の給茶口取付開口３ａの周囲には段部３ｂが形成され、更に段部３ｂの内側には給茶口取付開口３ａに沿って上方へ突出される立設壁３ｃが形成されており、給茶口取付開口３ａに後記の給茶口５２が着脱自在に取り付けられる。
【００２５】
前記下口部材４は、前記本体ケース３の上方に載置される樹脂製部材であり、その下方から見た形状を図４に示す。図に示すように、電気ポット領域Ｙには、図示しない内容器が取り付けられる環状部材１０及び前方突出部１１が形成され、下口部材４が本体ケース３に嵌合された際には、該前方突出部１１は本体ケース３に形成される前方突出部７と一体的に重ね合わされる。
【００２６】
また、排出器領域Ｘには、後記のホッパーユニット３０が挿入配置される箱状部材１２が上方より下方に垂下される形態で下口部材４と一体に形成される。該箱状部材１２は、上方が開口し、平面視矩形状の部材でその底壁にはギヤ係合口１３が開口するとともに、複数個のビス取付用ボス１４が一体に形成される。更に、前方側の側壁の下部には側壁から底壁に亘って切り取られてなる所定の高さを有するスクリュー用窓１５が形成されており、箱状部材１２内に後記のホッパーユニット３０が挿入配置されるとホッパーユニット３０の下部に取り付けられるスクリュー４０の先端がこのスクリュー用窓１５から顔を出す形態で位置する。
【００２７】
そして、前記箱状部材１２の底部に一体に形成される前記ビス取付用ボス１４には、図２に示すように略Ｌ字状の金属製の取付部材１６の一辺１６ａがビス１７により取り付けられる。取付部材１６の他の辺１６ｂには、後記のスクリュー４０を回動する駆動手段であるモータ１８が取り付けられ、該モータ１８の駆動軸１９は、取付部材１６の他の辺１６ｂの反対側まで延伸されるとともに、その延伸先端部には円形の駆動ギヤ２０が取り付けられる。
【００２８】
箱状部材１２の底部に取付部材１６が取り付けられた状態では、前記駆動ギヤ２０の上端は、前記箱状部材１２の底部に一体に形成されるギヤ係合口１３内に侵入し、箱状部材１２内に後記のホッパーユニット３０が挿入された際には、スクリュー４０の先端に取り付けられる被駆動ギヤ４３が該駆動ギヤ２０に直接係合する。
【００２９】
符号３０は、前記箱状部材１２内に着脱自在に収納配置されるホッパーユニットであり、該ホッパーユニット３０は、図５に示すように上方のホッパー部３１と下方のスクリュー収納部３２と底部のスタンド３３とを有する、各部材を一体に成形してなる樹脂製部材である。
【００３０】
ホッパー部３１は、上方に矩形状の開口３４を有し、その下方は絞られ断面テーパー状を呈し、その開口３４の外周側面には外方へ水平に張り出した鍔３５が全周に亘って形成されている。該鍔３５の内、前方側の鍔３５ａは幅広とされその一部に下方に凹んだ凹部３６が形成されており、ホッパーユニット３０を前記箱状部材１２内に収納したり取り出す時には、凹部３６に指を入れこの凹部３６とホッパー部３１の上端とを指で掴んで持ち上げることにより行う。
【００３１】
前記スクリュー収納部３２は、ホッパー部３１の下端部に一体に形成される部材であり、その上方には図２にその横断面を示すように平面視細長い矩形状の開口部３７を介してホッパー部３１と連通しており、ホッパー部３１内に入れられる粉茶等は該細長い矩形状の開口部３７を介してスクリュー収納部３２内に導入される。
【００３２】
また、スクリュー収納部３２は、断面円形の水平方向に細長い形状を呈し、その内部には図２に示すように螺旋状の右螺子形状からなる羽根４１を有するスクリュー４０が着脱自在に収納される。スクリュー収納部３２の図２において右側になる後方端４４には軸受４２が取り付けられスクリュー４０の後端部は該軸受４２に片持ち支持の形態で軸支される。軸受４２に軸支されるスクリュー４０の端部は更に後方に延設され、その延設端には被駆動ギヤ４３が取り付けられる。そして軸受４２は、スクリュー収納部３２に対してヘリコイド係合或いはネジ係合され、その係合を解除することにより、スクリュー収納部３２からスクリュー４０とともに取り外すことができる。
【００３３】
スクリュー収納部３２の前方端４５には、開口部４６が形成され、該開口部４６にはスクリュー４０の先端部が位置している。また、スクリュー収納部３２の前方端４５には、該前方端４５の上方に取り付けられるヒンジ部４８を介して回動自在とされる蓋部材４７が配置される。該蓋部材４７には、上方に突き出る形態でレバー４９が一体に形成されている。
【００３４】
そして、該レバー４９を図２で破線で示す前記箱状部材１２の側壁外周部に取り付けられるソレノイド５０で押圧することにより、図２でＡで示す開放位置にレバー４９及び蓋部材４７をヒンジ部４８を介して回動させることにより開蓋し、その押圧が解除されると自重によりＢで示す閉鎖位置にレバー４９及び蓋部材４７が回動され閉蓋する。そして、飲料用粉茶等排出器１を作動させるための図示しないスイッチが入れられると、スクリュー４０が回動され、ソレノイド５０がレバー４９を押圧し、蓋部材４７を開放する。
【００３５】
前記スタンド３３は、横断面矩形状の水平な板体で、ホッパーユニット３０を下口部材４の箱状部材１２より取り出し、水平なテーブル等に置く場合の支持台として使われる。
【００３６】
ホッパーユニット３０を箱状部材１２内に収納すると、ホッパー部３１の上部外周側面に形成される鍔３５の下端面が箱状部材１２の上端部１２ａに係合する形態で支持され、それとともにスクリュー４０の後端部に取り付けられる被駆動ギヤ４３は、ギヤ係合口１３内にその上方先端が侵入して取り付けられる駆動ギヤ２０と係合する。この場合、前記スタンド３３の底面は箱状部材１２の上面より上方に離れた位置にある。
【００３７】
図１５にホッパーユニット３０を下口部材４の箱状部材１２に収納する際の一例を示す。この例のものは、箱状部材１２の内面に対向する２つの垂直なリブ５１、５１を設け、ホッパーユニット３０を箱状部材１２に収納する際、両側黒塗りの矢印で示すようにホッパー部３１の片側側面を２つの垂直なリブ５１、５１の片面に当接しながら白抜きの矢印で示すようにホッパーユニット３０を垂直に押し下げ、箱状部材１２内に挿着するものである。
【００３８】
これらリブ５１がなくても格別問題はないが、これらリブ５１があるとホッパーユニット３０の箱状部材１２内への垂直な挿着を容易に行うことができる。なお、この例のものでは、ホッパーユニット３０を持ち上げるための摘みを図５に示すものとは異なるものを示す。即ち、図１５に示すものは、ホッパー部３１の上端前方側の鍔３５ａに摘みとしての凹部３６を２個併設して設け、この２個の凹部３６、３６を矢印で示す方向に掴んで持ち上げるものである。
【００３９】
なお、ホッパーユニット３０が箱状部材１２内へ挿入され、駆動ギヤ２０と被駆動ギヤ４３を噛み合わす際に山と山とが係合し、回転し始めるときにギヤ鳴きを生じることがある。図１４にそのようなギヤ鳴きを低減する手段を示す。図のものは、実施例１のモータ１８の支持形態と異なるが、モータ１８を支持する台５９に緩衝材５８或いはスプリング等を介在させ、駆動ギヤ２０を黒塗りの矢印で示すように上下動可能に支持するものである。このような支持形態にすることにより前記したギヤ鳴きを防止することができる。勿論、実施例１のものに採用する場合には、モータ１８の取付部材１６と箱状部材１２の間に緩衝材５８或いはスプリング等を介在させることになる。
【００４０】
符号５２は給茶口であり、該給茶口５２は、粉茶等の排出口となるノズル部５３、該ノズル部５３を包囲する形態の袴部５４及びノズル部５３とは反対側に延設される内側環状部５５からなる樹脂製の部材である。
【００４１】
前記ノズル部５３は、内側環状部５５の下方に垂下する形態の筒状部材であり、上方から最下端の先端開口部５６に向かって絞られており、先端開口部５６から排出される粉茶等の周囲への飛散を極力低減する。
【００４２】
前記袴部５４は、ノズル部５３を包囲する形態で形成される筒状部材でノズル部５３との間には、断面Ｕ字形の凹陥部５７が形成され、内環状部であるノズル部５３と外環状部である袴部５４とで内外二重環状構造を形成している。そして前記凹陥部５７は、給茶口５２の着脱を行うときに指でノズル部５３を掴む空間部として利用される。
【００４３】
前記内側環状部５５は、給茶口５２が取り付けられた状態では、箱状部材１２の前方下端に設けられるスクリュー用窓１５を囲むように間をおいて位置するとともに、スクリュー収納部３２の前方端４５は該内側環状部５５に対向して位置する。
【００４４】
このように、内側環状部５５は、スクリュー４０の先端部に対向して配置されるため、スクリュー４０の先端部より押し出される粉茶等の飛び散りを防止する飛散防止壁としての機能を有する。
【００４５】
給茶口５２は、着脱自在とされ、本体ケース３のコップ載置用空間９の上方に形成される広口の給茶口取付開口３ａに対して、ノズル部５３を下にし、且つノズル部５３の外周を指で掴みながら下方から給茶口取付開口３ａの内側に形成される立設壁３ｃの内周面に沿って挿入することにより装着され、その逆の動作で取り外される。その結果、給茶口５２の手入れが容易になる。
【００４６】
この排出器による粉茶等の排出は次のように行われる。即ち、ホッパー部３１内に粉茶等を入れ、図示しない駆動スイッチを入れると、ソレノイド５０が作動しレバー４９を押し蓋部材４７を開放するとともに、モータ１８が駆動され駆動ギヤ２０及び被駆動ギヤ４３を介してスクリュー４０を時計方向へ回動する。すると、粉茶等はスクリュー４０の先端部方向へ押し出され、その先端から給茶口５２のノズル部５３に落下し、ノズル部５３でその広がりを絞られその先端開口部５６からその下に載置されるコップ内に排出される。
【００４７】
次に、スクリューによる粉茶等の送り出し量を均等化させる均等化手段について説明する。前記ホッパー部３１内には、図２、図６及び図７に示すように棒状のバネ材からなるフック６０が設けられる。このフック６０は、１本のバネ材をその中央で折り曲げ、その中央部に略クローバー状の湾曲部を有する根本部６０ｃと、該根本部６０ｃから伸びたく字状の２本の本体部６０ａと、該本体部６０ａの前記根本部６０ｃと反対側の２個の先端部６０ｂ、６０ｂとからなる。
【００４８】
また、ホッパー部３１の上方内面には、図６に示すように断面Ｌ字状の２個の支持片６１、６１がそれぞれの開放部を対向させて取り付けられており、２個の支持片６１、６１の上方には、嵌合口６２を形成している。
【００４９】
そして、図６で黒塗りの矢印で示すような方向でフック６０の根本部６０ｃを支持片６１、６１の嵌合口６２に挿入し、フック６０を支持片６１、６１に嵌合する。すると、フック６０の２個の先端部６０ｂ、６０ｂは、図７に示すようにそれぞれスクリュー４０の羽根４１間に当接される。
【００５０】
フック６０をこのような形態にすることにより、スクリュー４０が回動すると該フック６０の２個の先端部６０ｂ、６０ｂは羽根４１間に係合された状態で前方へ押され、フック６０の本体部６０ａは全体を湾曲しつつ前方側に移動される。そして、やがて羽根４１間との係合は解除され元の状態に復元され新たな羽根４１間に当接される。
【００５１】
このようにフック６０は、ホッパー部３１内で揺動運動を繰り返し、ホッパー部３１内の粉茶等を間欠的に撹拌する。そのため従来、ホッパー部３１内に入れられた粉茶等は、粉茶等の粘り及び湿気等により、周辺部のものが固まって残り、それ以上供給されなくなったり、或いは周辺部の固まりが崩れ、崩れた固まりが一度にスクリュー４０内に侵入することにより目詰まりを生じることがあったが、ホッパー部３１内の粉茶等の表面Ｌは従来のように中央が低い放物線形状ではなくほぼ平坦化されるとともに、粉茶等の固まりがなくなり、下部の開口部３７よりスクリュー収納部３２内に供給される粉茶等の量は均等化される。その結果、供給量が安定し、且つ、スクリュー収納部３２内での粉茶等の目詰まりが防止される。更に、この均等化手段は、その構造並びに取付けが簡単なため、コスト負担を少なくすることができる。
【実施例２】
【００５２】
図８、図９に他の実施例を示す。この例のものは、均等化手段としてフラップを用いるもので、要部のみを示しその他の構成は実施例１のものと同じであり、詳細な説明は省略する。
【００５３】
ホッパー部３１内には、図に示すように樹脂製或いは金属製のフラップ６３が設けられる。このフラップ６３は、ほぼ矩形状の薄板部材からなり、矩形状の本体部６３ａと、該本体部６３ａの一方側に突起形状として一体形成される先端突起部６３ｂと、本体部６３ａの他方側に円筒形状として一体形成される筒状部６３ｃと、該筒状部６３ｃの左右の側面から水平且つ外方に延設される形態で筒状部６３ｃと一体形成される支持棒６４とからなる。
【００５４】
また、ホッパー部３１の上方端面には、図８に示すように前記支持棒６４を支持するための支持溝６５が形成され、更に、スクリュー４０には、フラップ６３の先端突起部６３ｂが当接可能な径方向に突出した係合突起６６が一体に形成されている。
【００５５】
そして、フラップ６３をホッパー部３１内に挿入し、フラップ６３の支持棒６４をホッパー部３１の上方端面の支持溝６５に支持させると、フラップ６３の先端突起部６３ｂは、図に示すようにスクリュー４０の係合突起６６に当接可能とされる。
【００５６】
フラップ６３をこのような形態にすることにより、スクリュー４０が回動するとフラップ６３の先端突起部６３ｂは、スクリュー４０の係合突起６６により図９で見て右方向へ押され、やがて両者６３ｂ、６６の係合が外れるとフラップ６３は自重により元の位置である図９で見て左方向に回動する。
【００５７】
このようにフラップ６３は、ホッパー部３１内で図９で黒塗りの矢印で示すように揺動運動を繰り返し、ホッパー部３１内の粉茶等を撹拌する。そのためホッパー部３１内の粉茶等の表面Ｌは従来のように中央が低い放物線形状ではなくほぼ平坦化されるとともに、粉茶等の固まりをなくすため、下部の開口部３７よりスクリュー収納部３２内に供給される粉茶等の量を均等化させることができる。その結果、供給量が安定し、且つ、スクリュー収納部３２内での粉茶等の目詰まりが防止される。更に、この均等化手段も、その構造並びに取付けが簡単なため、コスト負担を少なくすることができる。
【実施例３】
【００５８】
図１０に他の実施例を示す。この例のものは、均等化手段としてスクリューの羽根間に凸部を用いるもので、要部のみを示しその他の構成は実施例１のものと同じであり、詳細な説明は省略する。
【００５９】
即ち、スクリュー４０の羽根４１間に細長い凸部６８を設けるものである。該凸部６８は、図では１個設けているが粉茶等の押し出しに支障のない限りにおいては複数個でも良く、更に同じ羽根４１間に周方向に複数個設けても良い。また、凸部６８の高さは、スクリュー４０の羽根４１の外径より大きくない方がスクリュー４０の外周面とスクリュー収納部３２の内周面との隙間が大きくならないので好ましいが、羽根４１の外径より大きいものであっても良い。
【００６０】
スクリュー４０の羽根４１間に凸部６８を設けることにより、スクリュー４０が回動すると凸部６８が粉茶等を撹拌しながら搬送するため、ホッパー部３１内の粉茶等の表面Ｌは従来のように中央が低い放物線形状ではなくほぼ平坦化されるとともに、粉茶等の固まりをなくすため、下部の開口部３７よりスクリュー収納部３２内に供給される粉茶等の量を均等化させることができる。その結果、供給量が安定し、且つ、スクリュー収納部３２内での粉茶等の目詰まりが防止される。更に、この均等化手段も、その構造並びに取付けが簡単なため、コスト負担を少なくすることができる。
【実施例４】
【００６１】
図１１に他の実施例を示す。この例のものは、均等化手段としてスクリューの羽根のピッチをスクリューの前後方向で変えるもので、要部のみを示しその他の構成は実施例１のものと同じであり、詳細な説明は省略する。
【００６２】
即ち、スクリュー４０の羽根４１のピッチをスクリュー４０の前方側のピッチＨを後方側のピッチｈに比べ徐々に大きくしたものである。なお、スクリュー４０を例えば前方領域と後方領域とのように複数の領域に分け、それぞれの領域のピッチは同じにし、前方領域のピッチを後方領域のものより大きくする形態のものでも良い。
【００６３】
スクリュー４０の羽根４１のピッチをこのような形態にすることにより、スクリュー４０内の粉茶が前方に行くに従って圧縮されるという弊害が防止される。即ち、粉茶等は圧縮されることなく供給されるため、蓋部材４７が開蓋すると同時に固まりが排出されるとか、供給量が安定しないとか、或いはスクリュー収納部３２内での粉茶等の目詰まりが防止される。更に、この均等化手段も、スクリューの金型を変えることにより対応することができるため、コスト負担を少なくすることができる。
【実施例５】
【００６４】
図１２に他の実施例を示す。この例のものは、均等化手段として振動モータを用いるもので、要部のみを示しその他の構成は実施例１のものと同じであり、詳細な説明は省略する。
【００６５】
即ち、ホッパーユニット３０を収納する箱状部材１２の外側面に振動モータ７０を設けるものである。振動モータ７０は、携帯電話で使われているようなものを用いることができる。そしてこの振動モータ７０を作動させ、箱状部材１２を介してホッパーユニット３０を振動させ、ホッパー部３１内の粉茶等を振動により撹拌する。
【００６６】
このような振動モータ７０を設けることにより、ホッパー部３１内の粉茶等を振動により撹拌するためホッパー部３１内の粉茶等の表面Ｌは従来のように中央が低い放物線形状ではなくほぼ平坦化されるとともに、粉茶等の固まりをなくすため、下部の開口部３７よりスクリュー収納部３２内に供給される粉茶等の量を均等化させることができる。その結果、供給量が安定し、且つ、スクリュー収納部３２内での粉茶等の目詰まりが防止される。更に、この均等化手段も、その構造並びに取付けが簡単なため、コスト負担を少なくすることができる。
【実施例６】
【００６７】
図１３に他の実施例を示す。この例のものは、均等化手段として内面に突起を有する蓋部材を用いるもので、要部のみを示しその他の構成は実施例１のものと同じであり、詳細な説明は省略する。
【００６８】
スクリュー収納部３２の前方端４５には、実施例１で述べたように蓋部材４７が設けられている。この蓋部材４７には、スクリュー収納部３２の開口部４６の上方部内に侵入する形態で突起７２が設けられる。
【００６９】
ところで、スクリュー収納部３２の開口部４６には、符号Ｐで示すように前回の排出時の残余の粉茶等が残されているが、この粉茶等Ｐは、蓋部材４７が閉まるときの力とか、或いは蓋部材４７が閉蓋してもスクリュー４０が慣性で回動するとか、或いは粉茶等の粘り及び湿気等の理由で圧縮されている。そのため、飲料用粉茶等排出器１が作動され、蓋部材４７が開蓋されると、その圧縮された粉茶等Ｐは、崩れ落ち供給量が不安定になる。
【００７０】
このように蓋部材４７に突起７２を設けることにより、圧縮された粉茶等Ｐを図の黒塗りの矢印で示すように後方側へ押し戻すことができるため、蓋部材４７の開蓋時に圧縮された粉茶等Ｐが崩れ落ちることはなくなる。その結果、供給量が安定する。更に、この均等化手段も、その構造が簡単なため、コスト負担を少なくすることができる。
【００７１】
本願発明は、上記各実施の態様の構成に限定されるものではなく、発明の要旨を逸脱しない範囲において適宜設計変更可能であることは勿論である。
【図面の簡単な説明】
【００７２】
【図１】本願発明の飲料用粉茶等排出器の正面図
【図２】図１のＡ−Ａ線断面図
【図３】本願発明の本体ケースを斜め上方から見た斜視図
【図４】本願発明の下口部材を斜め下方から見た斜視図
【図５】本願発明のホッパーユニットを斜め上方から見た斜視図
【図６】本願発明の均等化手段であるフックの取り付けを示す概略図
【図７】本願発明の均等化手段であるフックの取り付け状態を示す要部断面図
【図８】本願発明の均等化手段であるフラップの取り付け状態を示す要部断面図
【図９】図８のＢ−Ｂ線断面図
【図１０】本願発明の他の均等化手段を示す要部断面図
【図１１】本願発明の更に他の均等化手段を示す要部断面図
【図１２】本願発明の更に他の均等化手段を示す要部断面図
【図１３】本願発明の更に他の均等化手段を示す要部断面図
【図１４】本願発明のホッパーユニットを取り付ける他の例を示す概略斜視図
【図１５】本願発明のホッパーユニットを取り付ける更に他の例を示す概略斜視図
【図１６】従来の飲料用粉茶等排出器の概略図
【符号の説明】
【００７３】
１…飲料用粉茶等排出器    ２…電気ポット
３…本体ケース            ３ａ…給茶口取付開口
３ｂ…段部                ３ｃ…立設壁
４…下口部材              ５…窪み
６…水量視認用窓          ７，１１…前方突出部
８…給湯口                ９…コップ載置用空間
１０…環状部材            １２…箱状部材
１３…ギヤ係合口          １４…ビス取付用ボス
１５…スクリュー用窓      １６…取付部材
１７…ビス                １８…モータ
１９…駆動軸              ２０…駆動ギヤ
３０…ホッパーユニット    ３１…ホッパー部
３２…スクリュー収納部    ３３…スタンド
３４…開口                ３５，３５ａ…鍔
３６…凹部                ３７，４６…開口部
４０…スクリュー          ４１…羽根
４２  軸受                ４３…被駆動ギヤ
４４…後方端              ４５…前方端
４７…蓋部材              ４８…ヒンジ部
４９…レバー              ５０…ソレノイド
５１…リブ                ５２…給茶口
５３…ノズル部            ５４…袴部
５５…内側環状部          ５６…先端開口部
５７…凹陥部              ５８…緩衝材
５９…台                  ６０…フック
６０ａ…本体部            ６０ｂ…先端部
６０ｃ…根本部            ６１…支持片
６２…嵌合口              ６３…フラップ
６３ａ…本体部            ６３ｂ…先端突起部
６３ｃ…筒状部            ６４…支持棒
６５…支持溝              ６６…係合突起
６８…凸部                ７０…振動モータ
７２  突起
【図１】
2005245588.tif 000003
【図２】
2005245588.tif 000004
【図３】
2005245588.tif 000005
【図４】
2005245588.tif 000006
【図５】
2005245588.tif 000007
【図６】
2005245588.tif 000008
【図７】
2005245588.tif 000009
【図８】
2005245588.tif 000010
【図９】
2005245588.tif 000011
【図１０】
2005245588.tif 000012
【図１１】
2005245588.tif 000013
【図１２】
2005245588.tif 000014
【図１３】
2005245588.tif 000015
【図１４】
2005245588.tif 000016
【図１５】
2005245588.tif 000017
【図１６】
2005245588.tif 000018